(57)【特許請求の範囲】
【請求項１】
冷凍ケーキを収納する、底板、天板及び左右側板から成る角筒状の箱本体と、冷凍ケーキを載置するトレイと当該冷凍ケーキの周囲を被う筒状保護板とから成り、
前記箱本体の両側開口部は、内側折込片及び外側折込片が夫々上端縁及び下端縁のいずれかに設けられ、各内側折込片は、前記開口部の上下幅より大きく、中央部の折り目により基部片と先端片とに別れ、先端片が基部片に対してくの字状に折り畳み自在であり、当該先端片には、先端縁から内側に向けて、収納する冷凍ケーキの横断面形状の切り欠きが設けられ、前記各外側折込片は前記各開口部を塞いだ際、その自由端部に設けた係止突片が、内側折込片又は箱本体に設けた係止孔に挿入係止自在となっており、
前記トレイに冷凍ケーキを載置して、冷凍ケーキの周囲に筒状保護板を被せて、前記開口部から冷凍ケーキを箱本体内に入れ、各開口部の内側折込片をくの字状に折り込み、先端片の切り欠きに前記筒状保護板の一側を入れ、各内側折込片の先端片の両側端部が箱本体の天板又は底板に当接して係止され、これらの各内側折込片の上から前記各外側折込片を折り込んで、その係止突片を前記係止孔に挿入して係止する構成としたことを特徴とする、改良型冷凍ケーキ輸送用折り畳み箱。
【請求項２】
内側折込片の先端片の前記切り欠きの両端の先端縁に折り曲げ自在な係止舌片を有することを特徴とする、請求項１に記載の改良型冷凍ケーキ輸送用折り畳み箱。
【請求項３】
冷凍ケーキを収納する、底板、天板及び左右側板から成る角筒状の箱本体と、冷凍ケーキを載置するトレイと当該冷凍ケーキの周囲を被う筒状保護板とから成り、
前記箱本体の両側開口部は、下端縁に内側折込片が、上端縁に外側折込片が夫々設けられ、前記各内側折込片は、前記開口部の上下幅より大きく、中央部の折り目により基部片と先端片とに別れ、先端片が基部片に対してくの字状に折り畳み自在であり、当該先端片には、先端縁から内側に向けて、収納する冷凍ケーキの横断面形状の切り欠きが設けられ、前記各外側折込片は前記各開口部を塞いだ際その自由端部に設けた係止突片が、内側折込片又は箱本体に設けた係止孔に挿入係止自在となっており、
前記トレイに冷凍ケーキを載置して、冷凍ケーキの周囲に筒状保護板を被せて、前記開口部から冷凍ケーキを箱本体内に入れ、各開口部の内側折込片をくの字状に折り込み、先端片の切り欠きに前記筒状保護板の一側を入れて各内側折込片を係止させ、これらの各内側折込片の上から前記各外側折込片を折り込んで、その係止突片を前記係止孔に挿入して係止する構成としたことを特徴とする、改良型冷凍ケーキ輸送用折り畳み箱。
【請求項４】
各内側折込片の先端片の前記切り欠きの内周縁に間隔をあけて複数の折り曲げ自在なフラップを設けたことを特徴とする、請求項１〜３のいずれかに記載の改良型冷凍ケーキ輸送用折り畳み箱。
【請求項５】
前記筒状保護板は、長手方向の一側縁が波型である帯状片を巻いて設けたことを特徴とする、請求項１〜４のいずれかに記載の改良型冷凍ケーキ輸送用折り畳み箱。
【発明の詳細な説明】
【技術分野】
【０００１】
この発明は、製造されたケーキを冷凍輸送するための改良型の折り畳み箱に関するもので、ケーキを収納する前は畳んだ状態で貯蔵でき、必要時に迅速、容易に組み立てられる折り畳み箱に関するものである。
【背景技術】
【０００２】
従来、洋菓子店においては、顧客が購入したケーキを持ち帰る際、一般的には折り畳み箱が使用されている。このような箱は一定の強度を有しながらも、軽量で使用した後の処分も容易であり、使い勝手が良いものとなっている。一方、昨今ではインターネットによる通信販売も普及し、遠方にある有名な菓子店のケーキをインターネットで注文し、宅配便などで輸送し、自宅で受け取り、解凍して食べるということも日常茶飯事となっている。
【０００３】
そのような中、スポンジ生地を土台にしたデコレーションは、ケーキの上面に果実、生クリームやチョコレートなどの飾り付けが行われ、見た目にも豪華で食欲をそそるものとなっているが、冷凍ケーキの輸送において、飾り付けの果実等が崩れるおそれがあり、注意が必要である。
【０００４】
このようなデコレーションケーキの冷凍輸送について、特許文献１のものが開発されている。
この折り畳み紙箱は、直方体形状の外箱と、扁平で底板のない直方体形状の平箱から成る支持枠体と、冷凍ケーキを載置するトレイと、冷凍ケーキの外側を囲う帯状保護板とから成り、支持枠体は平箱の上板の略中央に円形の開口部を設け、開口部の縁から上板の端縁に向けて複数の切り込みを入れて上板を分割し、前記トレイに冷凍ケーキを載せて帯状保護板を冷凍ケーキの周りに巻き付け、その上から支持枠体を被せて、開口部から帯状保護板に囲まれた冷凍ケーキの上部を支持枠体の上に突出させ、この状態で前記外箱に挿入して外箱に収納し、輸送に供するものである。
【先行技術文献】
【特許文献】
【０００５】
【特許文献１】特開２０１８−１５００５７号公報
【発明の開示】
【発明が解決しようとする課題】
【０００６】
上記特許文献１の折り畳み紙箱は、外箱内で、冷凍ケーキを支持枠体により移動できないように係止しており、また、当該冷凍ケーキを帯状保護板により囲んで飾り付けを崩さずに保護しているため、冷凍ケーキの形状を保持した状態で輸送でき、極めて便利である。しかしながら、外箱、支持枠体、帯状保護板及びトレイから成る部品点数の多い紙箱であり、製造コストも高価となり、かつ、組み立てに手間がかかる。
【０００７】
そこでこの発明はこのような状況に鑑みてなされたものであり、デコレーションケーキなどの輸送に注意を要する冷凍ケーキであっても、内部で冷凍ケーキを固定し、外部からの振動や衝撃を極力緩和でき、その上、部品点数が少なく、製造コストを削減できるとともに、組み立てが容易、迅速にでき、不要時は扁平状態に折り畳んでおくことがでる改良型冷凍ケーキ輸送用折り畳み箱を提供することを目的としたものである。
【課題を解決するための手段】
【０００８】
請求項１の発明は、冷凍ケーキを収納する、底板、天板及び左右側板から成る角筒状の箱本体と、冷凍ケーキを載置するトレイと当該冷凍ケーキの周囲を被う筒状保護板とから成り、前記箱本体の両側開口部は、内側折込片及び外側折込片が夫々上端縁及び下端縁のいずれかに設けられ、各内側折込片は、前記開口部の上下幅より大きく、中央部の折り目により基部片と先端片とに別れ、先端片が基部片に対してくの字状に折り畳み自在であり、当該先端片には、先端縁から内側に向けて、収納する冷凍ケーキの横断面形状の切り欠きが設けられ、前記各外側折込片は前記各開口部を塞いだ際その自由端部に設けた係止突片が内側折込片又は箱本体に設けた係止孔に挿入、係止自在となっており、前記トレイに冷凍ケーキを載置して、冷凍ケーキの周囲に筒状保護板を被せて、前記開口部から冷凍ケーキを箱本体内に入れ、各開口部の内側折込片をくの字状に折り込み、先端片の切り欠きに前記筒状保護板の一側を入れ、各内側折込片の先端片の両側端部が箱本体の天板又は底板に当接して係止され、これらの各内側折込片の上から前記各外側折込片を折り込んで、その係止突片を前記係止孔に挿入して係止する構成とした、改良型冷凍ケーキ輸送用折り畳み箱とした。
【０００９】
また、請求項２の発明は、内側折込片の先端片の前記切り欠きの両端の先端縁に折り曲げ自在な係止舌片を有する、請求項１に記載の改良型冷凍ケーキ輸送用折り畳み箱とした。
【００１０】
また、請求項３の発明は、冷凍ケーキを収納する、底板、天板及び左右側板から成る角筒状の箱本体と、冷凍ケーキを載置するトレイと当該冷凍ケーキの周囲を被う筒状保護板とから成り、前記箱本体の両側開口部は、下端縁に内側折込片が、上端縁に外側折込片が夫々設けられ、前記各内側折込片は、前記開口部の上下幅より大きく、中央部の折り目により基部片と先端片とに別れ、先端片が基部片に対してくの字状に折り畳み自在であり、当該先端片には、先端縁から内側に向けて、収納する冷凍ケーキの横断面形状の切り欠きが設けられ、前記各外側折込片は前記各開口部を塞いだ際その自由端部に設けた係止突片が内側折込片又は箱本体に設けた係止孔に挿入、係止自在となっており、前記トレイに冷凍ケーキを載置して、冷凍ケーキの周囲に筒状保護板を被せて、前記開口部から冷凍ケーキを箱本体内に入れ、各開口部の内側折込片をくの字状に折り込み、先端片の切り欠きに前記筒状保護板の一側を入れて各内側折込片を係止させ、これらの各内側折込片の上から前記各外側折込片を折り込んで、その係止突片を前記係止孔に挿入して係止する構成とした、改良型冷凍ケーキ輸送用折り畳み箱とした
【００１１】
また、請求項４の発明は、各内側折込片の先端片の前記切り欠きの内周縁に間隔をあけて複数の折り曲げ自在なフラップを設けた、請求項１〜３のいずれかに記載の改良型冷凍ケーキ輸送用折り畳み箱とした。
【００１２】
また、請求項5の発明は、前記筒状保護板は、長手方向の一側縁が波型である帯状片を巻いて設けた、請求項１〜４のいずれかに記載の改良型冷凍ケーキ輸送用折り畳み箱とした。
【発明の効果】
【００１３】
請求項１及び３の発明によれば、従来の冷凍ケーキの輸送用折り畳み紙箱と比べ、部品点数が少なく、製造コストを低く抑えることができる。しかも、当該折り畳み箱は組み立てが容易である。冷凍ケーキをトレイに載せて、筒状保護板を冷凍ケーキに被せ、これを箱本体に入れ、各内側折込片をくの字に折り曲げて、先端片の切り欠きに筒状保護板を入れ、各外側折込片をこの上から被せて係止すれば、冷凍ケーキは箱本体の内部で固定、係止されて収納される。
【００１４】
また、箱本体内部では、冷凍ケーキを支持する筒状保護板及び内側折込片は全て紙又はプラスチックで制作した場合、外部からの振動や衝撃を極力緩和でき、その上輸送中、冷凍ケーキは箱内で固定され、移動できず、デコレーション等が崩れる恐れがない。さらに、当該箱本体は各内側折込片及び各外側折込片を拡げれば、角筒状になり、扁平に折り畳むことができる。
【００１５】
また、請求項２の発明によれば、各内側折込片の先端片の係止舌片が折り曲げられて底板又は天板に係止されるまで内側折込片を折り曲げれば良く、確実に各内側折込片を折り曲げて筒状保護板に係止することができる。また、一方の内側折込片及び外側折込片を折り込み当該一方の開口部を塞き、、他方の開口部からトレイに載せた冷凍ケーキを箱本体内に挿入する場合、内側折込片の先端片の係止舌片が山形に折り込まれているため、この折り込まれた係止舌片にガイドされてトレイが当該係止舌片の下に入り、トレイ先端が傾斜した先端片の上に持ち上げられることがない。
【００１６】
また、請求項３の発明によれば、内側折込片の先端片の切り欠きに筒状保護板の一側が入った状態で当該先端片の先端が自重により下方に下がろうとするが、当該筒状保護板の一側に当たって、係止される。これにより、先端片の先端部を箱本体の天板に当接させる必要がなく、組立が容易である。
【００１７】
また、請求項４の発明によれば、各内側折込片の略半円状の切り欠き内周に折り曲げ自在なフラップを有するため、冷凍ケーキの大きさの相違により当該フラップを折り曲げて使用したり、フラップを折り曲げずに使用することができる。さらに、フラップで筒状保護板を弾力的に係止するため、外部からの衝撃を吸収できる。
【００１８】
また、請求項５の発明によれば、筒状保護板を帯状片で巻いて形成するため、冷凍ケーキの大きさに左右されずに使用でき、その上、不要時は扁平となり、当該紙箱の輸送や保管の際コンパクトになる。さらに、当該帯状片は長手方向の一側縁が波型であるため、この波型の一側縁を上にして冷凍ケーキの周囲に巻き付けると、箱本体の天板との間に隙間をつくり、湿気を筒状保護板の外側に逃がし、解凍の際に、筒状保護板とケーキとの当接部分に生じる結露を回避することができる。
【図面の簡単な説明】
【００１９】
【図１】この発明の実施の形態例１の冷凍ケーキ輸送用折り畳み紙箱の箱本体の展開図である。
【図２】この発明の実施の形態例１の冷凍ケーキ輸送用折り畳み紙箱の筒状保護板を形成する帯状片の平面図である。
【図３】この発明の実施の形態例１の冷凍ケーキ輸送用折り畳み紙箱のトレイの平面図である。
【図４】この発明の実施の形態例１の冷凍ケーキ輸送用折り畳み紙箱の箱本体を角筒状に組み立てた斜視図である。
【図５】この発明の実施の形態例１の冷凍ケーキ輸送用折り畳み紙箱のトレイに冷凍ケーキを載置し、筒状保護板を冷凍ケーキに被せた状態の斜視図である。
【図６】この発明の実施の形態例１の冷凍ケーキ輸送用折り畳み紙箱の箱本体内にトレイに載せた冷凍ケーキに筒状保護板を被せて挿入した状態の斜視図である。
【図７】この発明の実施の形態例１の冷凍ケーキ輸送用折り畳み紙箱の箱本体内に冷凍ケーキを収納した後、内側折込片を折り込む状態を示す、正面断面図である。
【図８】この発明の実施の形態例１の冷凍ケーキ輸送用折り畳み紙箱の箱本体の一方の開口部を内側折込片及び外側折込片で塞いだ後、他方の開口部から冷凍ケーキを箱本体に入れる状態を示す正面断面図である。
【図９】この発明の実施の形態例１の冷凍ケーキ輸送用折り畳み紙箱に冷凍ケーキを収納した状態の正面断面図である。
【図１０】この発明の実施の形態例１の冷凍ケーキ輸送用折り畳み紙箱の内側折込片の変形例を示す平面図である。
【図１１】この発明の実施の形態例１の冷凍ケーキ輸送用折り畳み紙箱の内側折込片の他の変形例を示す平面図である。
【図１２】この発明の実施の形態例１の冷凍ケーキ輸送用折り畳み紙箱の内側折込片の他の変形例を使用して冷凍ケーキを収納した状態の正面断面図である。
【図１３】この発明の実施の形態例２の冷凍ケーキ輸送用折り畳み紙箱に冷凍ケーキを収納した状態の正面断面図である。
【図１４】この発明の実施の形態例２の冷凍ケーキ輸送用折り畳み紙箱の変形例を使用して冷凍ケーキを収納した状態の正面断面図である。
【発明を実施するための形態】
【００２０】
（実施の形態例１）
以下、この発明の実施の形態例１の冷凍ケーキ輸送用折り畳み紙箱Ａについて、図１〜図８に基づき説明する。
【００２１】
この冷凍ケーキ輸送用折り畳み紙箱Ａは箱本体１、筒状保護板を成す帯状片２及び冷凍ケーキを載置するトレイ３から構成されている。図１は箱本体１の展開図を示すもので、底板４、左側板５、天板６及び右側板７が折り目ａｂｃを介して連設されている。また、底板５の端縁に折り目ｄを介して糊代８が設けられている。
【００２２】
前記底板４の左右端に折り目ｅを介して夫々外側折込片９、９が設けられている。これらの各外側折込片９の左右端縁には折り目ｆを介して係止突片１０、１０が設けられている。また、前記左側板５の左右端に折り目ｇを介して夫々折込片１１、１１が設けられている。また、前記天板６の左右端に折り目ｈを介して夫々内側折込片１２、１２が設けられている。また、前記右側板７の左右端に折り目ｉを介して夫々折込片１３、１３が設けられている。
【００２３】
前記各内側折込片１２は、その中央部に前記折り目ｈと平行な折り目ｊが設けられ、当該折り目ｊにより基部片１２ａと先端片１２ｂに分かれている。この先端片１２ｂの先端縁から内側に向けて略半円形の切り欠き１４が設けられている。この切り欠き１４の内周縁に間隔をあけて複数のフラップ１５が折り曲げ自在に設けられている。また、当該切り欠き１４の両側の先端片１２ｂの先端には折り曲げ自在に係止舌片１６が設けられている。
【００２４】
また、前記天板６と左右の内側折込片１２の間の折り目ｈの略中央部には、前記係止突片１０が挿入、係止自在な係止孔１７が設けられ、当該係止孔１７に面した天板６には半円形の切欠部１８が設けられている。
【００２５】
前記帯状片２は、図２に示すように、冷凍ケーキの飾り付けの高さより長い幅を有し、かつ、箱本体１内に入る幅を有するものであり、冷凍ケーキの外周に巻き付ける長さを有するものである。また、当該帯状片２は長手方向の一側縁が波型となっている。また、前記トレイ３は、図３に示すように、箱本体１の底板４に入る、大きさの四辺形を成し、相対向する辺に、折り曲げ自在なつまみ１９、１９を有している。
【００２６】
この冷凍ケーキ輸送用折り畳み紙箱Ａは以上の構成から成り、これを組立て、冷凍ケーキを収納するには、まず、箱本体１を組み立てる。前記折り目ａ、ｂ、ｃ、ｄを山折りに折り曲げ、糊代８を右側板７の下端の内側に貼りつける。これにより、図４に示すように、角筒状の箱本体１が組みあがる。当該箱本体１の左右には開口部２０、２０が形成され、各開口部２０の上端に内側折込片１２、下端に外側折込片９が位置し、各開口部２０の左右端に折込片１１及び１３が位置する。
【００２７】
そして、図５に示すように、冷凍ケーキＢをトレイ３に載せ、帯状片２を冷凍ケーキＢの外周に巻き付ける。この状態で帯状片３は筒状保護板となり、冷凍ケーキＢの飾り付けの高さより高い筒状保護板で囲われる。この状態で冷凍ケーキＢを角筒状の箱本体１内に一方の開口部２０から挿入する。
【００２８】
冷凍ケーキＢが箱本体１に収納された後、各開口部２０の内側折込片１２の中央部の折り目ｊにより基部片１２ａと先端片１２ｂをくの字に折り曲げ、さらに天板６と内側折込片１２の折り目ｈにより内側折込片１２を下方に折り曲げ、図６に示すように、先端片１２ｂの下部を箱本体１内に入れる。その際、先端片１２ｂの下端の係止舌片１６は谷折りされて先端片１２ｂの下部に追従していく。
【００２９】
そして先端片１２ｂの切り欠き１４に筒状保護板（帯状片２）の一側が入ると、前記係止舌片１６がトレイ３に係止され、先端片１２ｂは固定される。その後、左右の折込片１１及び１３を内側に折り曲げ、内側折込片１２の基部片１２ａに当接させる。そして、外側折込片９を底板４の折り目ｅにより折り曲げて起立させ、係止突片１０を係止孔１７に挿入し、外側折込片９は係止する。これにより冷凍ケーキＢを収納、固定した冷凍ケーキの輸送用折り畳み紙箱Ａとなる。
【００３０】
また、冷凍ケーキＢを箱本体１内に入れる手順は上記に限るものではなく、図８に示すように、箱本体１の一方の開口部２０の内側折込片１２及び外側折込片９を折り込んで当該開口部２０を閉じた後、他方の開口部２０から、周囲に帯状片２を巻き付けて筒状保護板を被せた冷凍ケーキＢをトレイ３に載せて、箱本体１に挿入し、既にセットされた先端片１２ｂの切り欠き１４に筒状保護板の一側を嵌める。その際、先端片１２ｂの下端に山折りされた係止舌片１６があるため、前記トレイ３の先端は係止舌片１６にガイドされて当該係止舌片１６の下に挿入される。この係止舌片１６がないと、トレイ３の先端は前記先端片１２ｂの上に乗り上げる恐れがある。その後、他方の開口部２０の内側折込片１２を折り曲げて、筒状保護板の一側に先端片１２ｂの切り欠き１４を嵌め、外側折込片９を折り込んで、冷凍ケーキＢを収納、固定した冷凍ケーキの輸送用折り畳み紙箱Ａとしてもよい。
【００３１】
この冷凍ケーキ輸送用折り畳み紙箱Ａは、図９に示すように、冷凍ケーキＢの外周に筒状保護板が被覆され、当該筒状保護板の周囲が内側折込片１２の切り欠き１４に係止されるため、紙箱内部で冷凍ケーキＢは固定、係止される。従って、紙箱に外部からの負荷や衝撃がかかった場合でも、冷凍ケーキＢは箱内でずれたりすることがなく、形が崩れることがない。従って、冷凍ケーキＢの輸送に適した紙箱である。
【００３２】
上記実施の形態例１の冷凍ケーキ輸送用折り畳み紙箱Ａでは、内側折込片１２の先端片１２ｂの切り欠き１４に複数のフラップ１５を設けているが、これに代えて、図１０に示すように、切り欠き１４の内周に複数の切り込み２１を設け、各切込み２１の間の内周縁を折込自在とすることもできる。
【００３３】
さらに、図１１に示すように、内側折込片１２の先端片１２ｂの切り欠き１４の内周縁にフラップ１５や切り込み２１を設けず、また、係止舌片１６を設けない変形例を示す。この場合は図１２に示すように、帯状片２から成る筒状保護板の一側に各先端片１２ｂの切り欠き１４が当たり、各先端片１２ｂの先端部がトレイ３に当接して係止される。
【００３４】
（実施の形態例２）
図１３は、この発明の実施の形態例２の冷凍ケーキ輸送用折り畳み紙箱Ｃを示す。
【００３５】
この冷凍ケーキ輸送用折り畳み紙箱Ｃは前記実施の形態例１とは外側折込片９と内側折込片１２の位置が上下逆になっている。すなわち、外側折込片９は開口部１１の上端に、内側折込片１２は下端に設けられており、先端片１２ｂの先端の係止舌片１６は天板６の下面に当接、係止される。また、係止溝１７及び切欠部１８も内側折込片１２と底板４との折り目ｅ付近に設けられる。他の構成は実施の形態例１と同じである。
【００３６】
また、実施の形態例２の変形例として、図１４のものがある。この場合は、内側折込片１２の先端片１２ｂの切り欠き１４に帯状片２から成る筒状保護板の一側が入った状態で当該先端片１２の先端が自重により下方に下がろうとするが、当該筒状保護板の一側に当たって、係止される。従って、先端片１２ｂの先端に係止舌片１６を設ける必要がない。
【００３７】
なお、上記実施の携帯例１及び２では冷凍ケーキ輸送用折り畳み紙箱について説明したが、この発明の冷凍ケーキ輸送用折り畳み箱は、紙に限らず、プラスチック等の他の材質から成る箱も含まれる。
【００３８】
また、上記帯状片２は、冷凍ケーキＢの外周に当該帯状片２を巻き付けて筒状保護板とするため、冷凍ケーキＢが大きいサイズであっても対応できる、また、不要時は扁平となり、便利である。ただし、筒状保護板は帯状片２から成るものだけではなく、初めから筒状のものであっても良い。また、前記帯状片２は長手方向の一側縁が波型であるため、この波型の一側縁を上にして冷凍ケーキの周囲に巻き付けると、箱本体の天板との間に隙間をつくり、湿気を筒状保護板の外側に逃がし、解凍の際に、筒状保護板とケーキとの当接部分に生じる結露を回避することができる。
【００３９】
さらに、前記実施の形態例１及び２では冷凍ケーキＢの横断面形状は円形であるが、これに限らず、横断面が四角形等、他の形状もあるが、この発明では、内側折込片２の先端片１２ｂの切り欠き１４を冷凍ケーキＢの横断面形状としているため、これらの横断面形状の冷凍ケーキにも適用できる。さらに、前記筒状保護板も円形の筒状及び角型の筒状のものも含まれるものである。
【符号の説明】
【００４０】
Ａ        冷凍ケーキ輸送用折り畳み紙箱
Ｂ        冷凍ケーキ
Ｃ        冷凍ケーキ輸送用折り畳み紙箱
１        箱本体              ２        帯状片
３        トレイ              ４        底板  
５        右側板              ６        天板
７        左側板              ８        糊代
９        外側折込片          １０      係止突片
１１      折込片              １２      内側折込片
１２ａ    基部片              １２ｂ    先端片
１３      折込片              １４      切り欠き
１５      フラップ            １６      係止舌片
１７      係止孔              １８      切欠部
１９      つまみ              ２０      開口部
２１      切り込み            
【要約】
【課題】部品点数が少なく、製造コストを削減できるとともに、組み立てが容易、迅速にでき、不要時は扁平状態に折り畳んでおくことがでる。
【解決手段】底板４、天板６及び左右側板５、７から成る箱本体１と、冷凍ケーキを載置するトレイ３と当該冷凍ケーキの周囲を囲う筒状保護板とから成り、箱本体１の両側開口部１１は、内側折込片１２及び外側折込片９が夫々上端縁及び下端縁に設けられ、各内側折込片１２は前記開口部の上下幅より大きく、中央部の折り目により基部片１２ａと先端片１２ｂとに別れ、先端片１２ｂが基部片１２ａに対してくの字状に折り畳み自在であり、当該先端片１２ｂには、先端縁から内側に向けて略半円形の切り欠き１４が設けられ、各外側折込片９は各開口部１１を塞いだ際、その自由端部に設けた係止突片１０が、内側折込片１２又は箱本体１に設けた係止孔１７に挿入係止自在となっている。
【選択図】  図８【図１】
0006925069.tif 000002
【図２】
0006925069.tif 000003
【図３】
0006925069.tif 000004
【図４】
0006925069.tif 000005
【図５】
0006925069.tif 000006
【図６】
0006925069.tif 000007
【図７】
0006925069.tif 000008
【図８】
0006925069.tif 000009
【図９】
0006925069.tif 000010
【図１０】
0006925069.tif 000011
【図１１】
0006925069.tif 000012
【図１２】
0006925069.tif 000013
【図１３】
0006925069.tif 000014
【図１４】
0006925069.tif 000015